(57)【要約】      （修正有）【課題】簡単に製造でき、かつ、生産コストの低減を図り、包装寸法を小さくした、より実用的なコンパクト画像センサーを提供する。【解決手段】コンパクト画像センサーモジュール構造において、基板５０に上表面６６と下表面６８を設け、上表面６６の中央場所にチップ収容區域７０を設け、フランジ層５４を基板５０の上表面６６に設け、４本突起棒５６は基板５０の上表面６６のフランジ層５４の四隅に設け、複数の導線５８はチップ５２の半田パッド７８によって基板上に設ける。透光層６０は４本突起棒５６に被せてチップ５２を覆い、鏡台６２にはメスねじ８０を設け、フランジ層５４に固定し、鏡円筒６４にはオスねじ８２を設け、鏡台６２のメスねじ８０に締め付ける。【選択図】図２
0003120037.tif 000002
【実用新案登録請求の範囲】
【請求項１】
一種のコンパクト画像センサーモジュール構造において、基板、チップ、フランジ層、４本突起棒、複数の導線、透光層、鏡台、及び鏡円筒を包含し、
基板は上表面と下表面を設け、上表面の中央場所にチップ収容區域を設けて、チップ収容區域の周りに複数の第１電極を形成し、下表面に複数の第２電極を第１電極に対応して接続し、
チップは基板の上表面のチップ収容區域場所に設け、その上部に検出区域を設け、検出区域の周りに複数の半田パッドを設け、
フランジ層は基板の上表面に設け、チップ収容區域と第１電極を囲み、
４本突起棒は基板の上表面に設け、フランジ層の四つ隅に設け、
複数の導線はチップの半田パッドによって、基板の第１電極に設け、チップの信号は基板の上表面周りに設ける第１電極によって、下表面の第２電極に伝送し、
透光層は４本突起棒を被せて、チップを覆い、
鏡台はフランジ層に固定し、メスねじを設け、
鏡円筒はオスねじを設け、鏡台のメスねじを締めつけることを特徴とする、コンパクト画像センサーモジュール。
【請求項２】
４本突起棒の高さはフランジ層より低く設けることを特徴とする請求項１記載のコンパクト画像センサーモジュール。
【請求項３】
鏡円筒は上から下に透光区域、非球面レンズおよび赤外線フィルタレンズを設けることを特徴とする請求項１記載のコンパクト画像センサーモジュール。
【考案の詳細な説明】
【技術分野】
【０００１】
本考案はコンパクト画像センサーモジュールに関わるもので、特に一種の製品寸法を有効に減少できる。
【背景技術】
【０００２】
図１に示すものは、一種の画像センサーモジュール構造である。主に基板、第１表面と第２表面を設け、第１表面の周りに第１電極を設け、第２表面の周りに第２電極を設ける。第１電極と第２電極は基板側面に沿った導線により互いに導通する。フランジ層に上表面と下表面を設け、下表面は基板上の第１表面に設ける。基板はさらに収容室を設ける。画像検出チップ、複数の半田パッドをその周りに設け、基板とフランジ層に形成する収容室に設け、基板の第１表面に固定する。複数本の導線、第1端と第２端を設け、第1端は画像検出チップと電気接続し、第２端は基板上の第１電極に電気接続する。透光層、フランジ層の上表面に粘着する。鏡台、上端面、下表面および上端面から下端面に貫通する収容室を設け、鏡台の収容室にメスねじを設ける。鏡円筒、オスねじを設け、鏡台の上端面より収容室に収容し、鏡台のメスねじによって、締めつける。鏡円筒は上から下に透光区域、非球面レンズ、赤外線フィルタレンズを設ける。
【０００３】
前記の画像センサーを製造するとき、透光層はフランジ層上部に設けるため、製品の体積が大きくなる。さらに、鏡台の側面は透光層を覆って、透光を防止するため、体積が大きくなる。
【０００４】
このため、本考案者は技術を絶えずに改善し、新しいものを創り出す精神に基づき、画像センサー包装を研究した結果、本考案の画像センサーモジュールの包装を思案し、良品率の向上、製品包装をよりコンパクトが有効に実現できる。
【考案の開示】
【考案が解決しようとする課題】
【０００５】
本考案の主な目的は、簡単に製造でき、かつ、生産コストの軽減を図り、より実用的、一種のコンパクトの画像センサーを提供する。
【０００６】
本考案のさらに一つの目的は、包装寸法を小さくして、より実用的、一種のコンパクトの画像センサーを提供する。
【０００７】
前記の目的を実現するため、本考案は基板、上表面と下表面を設ける。チップ、基板の上表面に設ける。フランジ層、基板の上表面に設ける。４本突起棒、基板の上表面のフランジ層四つの隅に設ける。複数本の導線、チップの半田パッドによって、基板に電気接続する。透光層、４本突起棒に被せて、チップを覆う。鏡台、フランジ層に固定し、メスねじを設ける。鏡円筒、オスねじを設け、鏡台のメスねじに締めつける。
【０００８】
透光層を４本突起棒に設けることにより、製品寸法を小さくして、コンパクトの目的を実現する。
【課題を解決するための手段】
【０００９】
請求項１の考案は、一種のコンパクト画像センサーモジュール構造において、基板、チップ、フランジ層、４本突起棒、複数の導線、透光層、鏡台、及び鏡円筒を包含し、
基板は上表面と下表面を設け、上表面の中央場所にチップ収容區域を設けて、チップ収容區域の周りに複数の第１電極を形成し、下表面に複数の第２電極を第１電極に対応して接続し、チップは基板の上表面のチップ収容區域場所に設け、その上部に検出区域を設け、検出区域の周りに複数の半田パッドを設け、フランジ層は基板の上表面に設け、チップ収容區域と第１電極を囲み、４本突起棒は基板の上表面に設け、フランジ層の四つ隅に設け、複数の導線はチップの半田パッドによって、基板の第１電極に設け、チップの信号は基板の上表面周りに設ける第１電極によって、下表面の第２電極に伝送し、透光層は４本突起棒を被せて、チップを覆い、鏡台はフランジ層に固定し、メスねじを設け、鏡円筒はオスねじを設け、鏡台のメスねじを締めつけることを特徴とする、コンパクト画像センサーモジュール。
請求項２の考案は、４本突起棒の高さはフランジ層より低く設けることを特徴とする請求項１記載のコンパクトの画像センサーモジュールとしている。
請求項３の考案は、鏡円筒は上から下に透光区域、非球面レンズおよび赤外線フィルタレンズを設けることを特徴とする請求項１記載のコンパクト画像センサーモジュールとしている。
【考案の効果】
【００１０】
本考案は、簡単に製造でき、かつ、生産コストの軽減を図り、より実用的、一種のコンパクト画像センサーを提供する。
【考案を実施するための最良の形態】
【００１１】
図２に示すものは、本考案のコンパクトの画像センサーモジュールの断面図である。基板５０、チップ５２、フランジ層５４、４本突起棒５６、複数本の導線５８、透光層６０、鏡台６２および鏡円筒６４を設ける。
【００１２】
そのうち、基板５０に上表面６６と下表面６８を設け、上表面６６の中央場所にチップ収容區域７０を設け、このチップ収容區域７０の周りに、複数の第１電極７２を設け、下表面６８に複数の第２電極を第１電極７２に対応して設ける。
【００１３】
チップ５２は基板の上表面６６のチップ収容區域７０に設け、その上部に検出区域７６を設け、検出区域７６の周りに複数の半田パッド７８を設ける。
【００１４】
フランジ層５４、基板５０の上表面６６に設け、チップ収容區域７０と第１電極７３を囲む。
【００１５】
図３に示すとおり、４本突起棒５６は基板５０の上表面６６フランジ層５４の四つ隅に設け、その高さはフランジ層５４より低い。
【００１６】
複数本の導線５８は、チップ５２の半田パッド７８によって、基板５０の第１電極７２に設け、チップ５２の信号は、基板５０の上表面６６周りに設ける第１電極７２によって、基板５０の下表面６８に設ける第２電極７４に伝送する。
【００１７】
透光層６０は４本突起棒５６に被せて、チップ５２を覆う。
【００１８】
鏡台６２はフランジ層５４に固定し、メスねじ８０を設ける。
【００１９】
鏡円筒６４、オスねじ８２を設け、鏡台６２のメスねじ８０に締めつける。鏡円筒６４は上から下に透光区域８４、非球面レンズ８６および赤外線フィルタレンズ８８を設ける。
【００２０】
透光層６０を４本突起棒５６に設けることにより、製品寸法を小さくして、コンパクトの目的を実現する。
【図面の簡単な説明】
【００２１】
【図１】公知技術の画像センサーモジュールの断面図である。
【図２】本考案のコンパクト画像センサーモジュールの断面図である。
【図３】本考案のコンパクト画像センサーモジュールの上視図である。
【符号の説明】
【００２２】
５０  基板
５２  チップ
５４  フランジ層
５６  ４本突起棒
５８  複数本の導線
６０  透光層
６２  鏡台
６４  鏡円筒
６６  上表面
６８  下表面
７０  チップ収容區域
７２  第１電極
７４  第２電極
７６  検出区域
７８  半田パッド
８０  メスねじ
８２  オスねじ
８４  透光区域
８６  非球面レンズ
８８  赤外線フィルタレンズ
【図１】
0003120037.tif 000003
【図２】
0003120037.tif 000004
【図３】
0003120037.tif 000005